(57)【要約】【課題】吸込口本体の上部から回転清掃体を容易に取り出せる電気掃除機の吸込口体の提供。【解決手段】吸込口本体３１に、床面を清掃する回転清掃体４０を配設し、回転清掃体４０の両端部を吸込口本体３１で支持し、吸込口本体３１の上部に、回転清掃体４０の上部空間を覆って集塵用の吸込室７０を形成する蓋ケース６０が開閉可能に設けられ、回転清掃体４０は蓋ケースの開放時に吸込口本体３１から着脱可能とされている。【選択図】  図３
2005046262.tif 000002
【特許請求の範囲】
【請求項１】
吸込口に連通する吸込室が形成される吸込口本体と、前記吸込口に臨んで吸込室に配設され被清掃面を清掃する回転清掃体と、前記吸込口本体の上部を覆って吸込室を形成する蓋部材が開閉可能に設けられ、前記回転清掃体は前記蓋部材の開放時に前記吸込口本体から着脱可能とされることを特徴とする電気掃除機の吸込口体。
【請求項２】
前記蓋部材の開放時に前記回転清掃体の動力伝達系を遮断する手段を備えている事を特徴とする請求項１記載の電気掃除機の吸込口体。
【請求項３】
空気を吸引する通路が形成される吸込口本体の前記通路の入り口前方に、床面を清掃する回転清掃体を配設し、該回転清掃体の両端部を前記吸込口本体に設けた支持部で支持し、前記吸込口本体の上部に、前記回転清掃体の上部空間を覆って集塵用の吸込室を形成する蓋部材が、前記吸込口体の前方を支点として回転するように開閉可能に設けられ、前記回転清掃体は前記蓋部材の開放時に前記吸込口本体から着脱可能とされることを特徴とする電気掃除機の吸込口体。
【請求項４】
請求項１〜請求項３何れか記載の電気掃除機の吸込口体を備えたことを特徴とする電気掃除機。
【発明の詳細な説明】
【０００１】
【発明の属する技術分野】
本発明は、電気掃除機の吸込口に関し、特に、主として床面を清掃する回転清掃体自身の清掃を容易にした電気掃除機の吸込口体及び電気掃除機に関する。
【０００２】
【従来の技術】
従来から、電気掃除機の吸込口体としては、図１５に示す吸込口体１が知られている（例えば特許文献１参照）。
【０００３】
かかる吸込口体１は、底面１Ａに吸込開口２を有する吸込室３を形成した吸込口本体４と、吸込室３に回転自在に配置した回転清掃体５等とを備えている。回転清掃体５は、吸込口本体４に設けた空気導入口６から導入される空気によって反時計回（図１５において）りに回転していくようになっている。
【０００４】
この吸込口体１によれば、回転清掃体５の回転により絨毯に付着した塵埃を掻き上げていくので、吸込開口２から空気とともにその塵埃を効率よく吸引していくことができる。
【０００５】
【特許文献１】
特開平１１−２０６６３５号公報
【０００６】
【発明が解決しようとする課題】
しかしながら、このような従来の電気掃除機の吸込口体において回転清掃体５の清掃を行う場合、吸込口本体４の下ケース４Ｂを固定しているネジ（図示せず）を外してから回転清掃体５を取り外すので面倒である。また、回転清掃体５の周りには、毛髪や糸くず等が巻き付いていたり、細かな塵が付着しているのが通常であるので、回転清掃体５を取り外すときに、回転清掃体５を握ることが躊躇されることがある。
【０００７】
又、回転清掃体５のごみや糸くず等の除去時には電気掃除機のプラグをコンセントから抜いて作業することが通常であるが、これを怠り、且つ、何らかの要因で電気掃除機の手元操作スイッチがオンした場合、吸込口本体４に設けたモーターが回り出して回転清掃体５が突然回転することに対する対策も考慮しておくのが望ましい。
【０００８】
本発明は、このような課題に着目してなされたものであり、回転清掃体を容易に取り出しやすく、又、回転清掃体の回転軸部等の汚れの少ない部分を把持して清掃できる電気掃除機の吸込口体及び電気掃除機を提供することを目的とする。
【０００９】
【課題を解決するための手段】
上記課題を解決するために、本発明の電気掃除機の吸込口体は、吸込口に連通する吸込室が形成される吸込口本体と、前記吸込口に臨んで吸込室に配設され被清掃面を清掃する回転清掃体と、前記吸込口本体の上部を覆って吸込室を形成する蓋部材が開閉可能に設けられ、前記回転清掃体は前記蓋部材の開放時に前記吸込口本体から着脱可能とされていることを特徴とする。
【００１０】
【実施の形態】
以下、この発明に係る吸込口体と電気掃除機の実施の形態を図面に基づいて説明する。
【００１１】
図１に示す電気掃除機２０は、掃除機本体２１と、この掃除機本体２１に着脱自在に接続されたホース２２と、このホース２２の他端の手元操作管２３に着脱自在に接続された延長管２４と、この延長管２４の先端部に着脱自在に接続された吸込口体３０等とを備えている。手元操作管２３には操作部２３Ａが設けられており、この操作部２３Ａには図示しない操作スイッチが設けられている。
【００１２】
掃除機本体２１には、集塵容器２５と、この集塵容器２５内に塵埃を集塵させるための電動送風機（図示せず）とが設けられている。集塵容器２５は掃除機本体２１から着脱自在に取り外せるようになっている。
【００１３】
吸込口体３０は、図２、図３に示すように、吸込口本体３１と、回転清掃体４０と、下ケース５０と、蓋ケース６０（蓋部材）とで概略構成されており、吸込口本体３１が回転清掃体４０を保持し、下ケース５０と蓋ケース６０とが吸込口本体３１を上下から挟んで回転清掃体４０の回転空間を形成するようになっている。
［吸込口本体］
吸込口本体３１の後部には、前後方向に延びる回転軸線回りに回転可能（図３の矢印Ａ方向）に取り付けられた回転管３５と、この回転管３５に前後方向（図３の矢印Ｂ方向）に回動可能に取り付けられた接続管３６等とを備えている。
【００１４】
吸込口本体３１の下部は下ケース５０の内部に保持され、吸込口本体３１の上部は蓋ケース６０によって閉鎖される。すなわち、吸込口本体３１の上下には下ケース５０と蓋ケース６０とが着脱可能とされている。吸込口本体３１の前側には、回転清掃体４０が配備される。吸込口本体３１の左右端部には、回転清掃体４０のベアリング４１の前後方向への移動を規制する溝形状部３２Ａとベアリング４１を保持する水平板部３２Ｂとが形成されている。
【００１５】
吸込口本体３１の前壁部には集塵開口部３５Ａ（吸込口）が形成されており、集塵開口部３５Ａは回転管３５の内側を貫通しており、接続管３６に通じている。回転管３５の両脇には収納部３７Ａ、３７Ｂが形成されており、吸込口本体３１の収納部３７Ａ内部には、ベルト３８を駆動する図示しないモーター及び該モーターの出力軸により回転するギア機構が格納される。また、吸込口本体３１の収納部３７Ｂの内部には、ベルト３８を回転させるモーターを制御するための回路基板（図示省略）が収納され、回路基板とモーターは収納部３７Ａ、３７Ｂを連結する連結部分３７Ｃの内部に通されている。また、回路基板に給電する電線は回転管３５の図示しない前壁部の開口部を経由して接続管３６の端子ピン３６Ａに接続されている。端子ピン３６Ａは電気掃除機の手元操作部の制御線に接続される。
【００１６】
収納部３７Ｂの下ケース５０に臨む部位には、床面と接触して前記モーターへの給電を行い、床面と離れたときに前記モーターへの給電を遮断するスイッチ（図示省略）が設けられ、このスイッチは吸込口本体３１を床面から離したときに、モーターを止めて回転清掃体４０の回転を停止させる機能を持っている。
【００１７】
吸込口本体３１前部の左右両端部には、回転清掃体４０を保持するための軸受け部３２Ａ（支持部）がそれぞれ突設されている。軸受け部３２Ａは回転清掃体４０のベアリング４１の前後縁部及び下縁部を保持する溝状部分３２Ｂを備えている。すなわち、溝状部分３２Ｂは縦方向に延びる凹溝形状を有しており、下部にベアリング４１を支える底部が形成されている。ベアリング４１の外側輪郭形状は矩形状を有しており、溝状部分３２Ｂの上方から下方に移動させて溝状部分３２Ｂに嵌合し、上方に取り外し可能になっている。軸受け部３２Ａには、回転清掃体４０のベアリング４１の近傍に設けられた大径部４１Ａの下部を覆う水平部３２Ｃと、大径部４１Ａの内側を閉鎖する半月型の切り欠きを有する縦板部３２Ｄが形成されている。
【００１８】
この軸受け部３２Ａが吸込口本体３１の前面部両端部に突設されていることにより、回転清掃体４０が一対の軸受け部３２Ａに支持されることとなり、吸込口本体３１の前面部に回転清掃体４０が配設されることとなる。
【００１９】
吸込口本体３１の収納部３６Ａの前壁部の端部には開口部３６Ｃが形成され、開口部３６Ｃから内側にギアが形成されたベルト３８が出ている。このベルト３８のＵ字形に曲げられた一方の端部の内側のギアにはギア機構のギアが噛み合っており、ベルト３８の他方の端部の内側のギアには回転清掃体４０の回転軸に取付られたギア４１Ｂ（図３参照）が噛み合うように取り付けられる。又、収納部３６Ａの前壁部には収納部３６Ａに格納されたモーターの排熱用空気孔３６Ｄが形成されている。
【００２０】
吸込口本体３１の収納部３７Ａ、３７Ｂの上部の角部には、凹部３９Ａが形成されており、この凹部３９Ａの壁部３９Ｂには開口部４３が形成されている。この開口部４３は下ケース５０を吸込口本体３１に固定するための孔であり、この開口部４３に蓋ケース６０に形成された第１突起部６１が挿入される。
［回転清掃体］
回転清掃体４０は、前記スイッチが吸込口体３０が被清掃面上に置かれたことを検知しないときには、モータの駆動は停止され、回転清掃体４０の回転は停止される。また、回転清掃体４０は、起毛を有する布製の払拭部材（清掃部材）４２とブラシ（清掃部材）４２Ｂとを、交互に軸部４４に設けたものである。払拭部材４２の長さはブラシ４２Ｂの長さより長く設定され、ブラシ４２Ｂの塵埃の掻き出し力（腰）に作用する曲げ方向の弾性力は払拭部材４２のそれより強くなっている。
【００２１】
そして、回転清掃体４０が回転している際、その払拭部材４２の先端部が後述する吸込口本体３１の前方へ突出するように回転清掃体４０の取り付け位置が設定されている。
［下ケース］
下ケース５０は、収納部３７Ａ、３７Ｂを保持する略ボックス形状の前壁部５１Ａと後壁部５１Ｂ、及び、左右の側壁部５１Ｃ並びに底壁部５１Ｄとを有する。後壁部５１Ｂの下ケース５０の中央部側の壁部５１Ｂａは、下ケース５０の前方に延びており、この左右一対の部位５１Ｂａの間に、回転管３５が気密な状態を保つように嵌合する。前壁部５１Ａと後壁部５１Ｂと壁部５１Ｂａの間には、吸込口本体３１の収納部３７Ａ、３７Ｂが嵌合する。
【００２２】
一対の壁部５１Ｂａの間には、回転管３５の下面が摺接回動する湾曲面５１Ｂｂが形成されており、湾曲面５１Ｂｂの後部に突設された一対の支持部５２にローラ５３が回転自在に保持されている。ローラ５３は床面上を回転して吸込口体３０を支える。
【００２３】
下ケース５０の前壁部５１Ａは、吸込口本体４０の前壁部を面接触により支持する。下ケース５０の両端部には前方に突出する突出部５４が形成されており、この突出部５４内部に、吸込口本体３１の軸受け部３２Ａがそれぞれ挿入保持される。両方の突出部５４の前端壁部５４Ｆ内側には蓋ケース６０の掛止爪Ｆを掛け止める凹部５５がそれぞれ形成されている。
【００２４】
軸受け部３２Ａと前壁部５１Ａとの角部には回転清掃体４０の端部に設けられた固定リング部４５を下側から覆う樋状の軸受けカバー部５６が形成されている。下ケース５０の側部にある側壁部５１Ｃと後壁部５１Ｂとの角部には、上下方向に延びる樋状の柱状部５７がそれぞれ形成されており、この柱状部５７の上端部近傍に掛止穴５８が開口されている。この掛止穴５８には、蓋ケース６０の第２突出部６２が挿入される。柱状部５７の上端部と後壁部５１Ｂの上端部との間には小さな隙間が設けられている。
【００２５】
突出部５４の下側外側面には起毛を有する払拭部材Ｍ１が取り付けられている。また、底部５１Ｄの外側後部両側には起毛を有する払拭部材Ｍ２が取り付けられており、これら払拭部材によって吸込口体３０の移動が滑らかに行えるようになっている。
［蓋ケース］
蓋部材となる蓋ケース６０は、下ケース５０と共に回転清掃体４０を格納する吸込室７０（図８参照）を形成する。吸込室７０は、下ケース５０の後壁部５１Ａと、左右にある軸受けカバー部５６の半円弧状部５６Ａと、蓋ケース６０の仕切板部６３と、仕切板部６３の両側壁部６４とで区画され、吸込室７０の下部は床面に臨んで開放されている。回転清掃体４０はこの吸込室７０の内部で回転し、回転管３５からの空気の吸引力により集塵されたごみは回転管３５の内部を経由して接続管３６に送り込まれる。そして、下ケース５０から蓋ケース６０を取り外すと、吸込室７０の上面と前面とが開放され、回転清掃体４０に絡み付いた糸クズなどの除去が簡単に行えるとともに、回転清掃体４０の取り外しが簡単に行えるようになっている。
【００２６】
蓋ケース６０の裏面ほぼ中央部には、図７に示すように、蓋ケース６０の長手方向に延びて吸込室７０を区画するための仕切板部６３が形成され、仕切板部６３の両端部に側壁部６４がそれぞれ形成されている。この側壁部６４は半円弧状に形成されており、下ケース５０の半円弧状部５６Ａと突き当てられて吸込室７０の側壁部を形成する。
【００２７】
蓋ケース６０の前端部側には、前面蓋８０（接触部）が取り付けられる。前面蓋８０は、軟質の樹脂製で構成され、家具等に傷をつけないとともに吸込口体３０を保護するパンパーとしての機能を有するようになっている。
【００２８】
前面蓋８０の蓋ケース６０側の端部には、複数個の軸受け部８１が形成され、これらの軸受け部８１に回転軸８２が挿通されており、この回転軸８２の両端部は側壁部６４に形成された軸受け部６４Ａに装着されている。回転軸８２には、弦巻バネ８３が挿通されている。弦巻バネ８３の一方の端部は蓋ケース６０の縁部に当接し、弦巻バネ８３の他方の端部は前面蓋８０の縁部に当接しており、弦巻バネ８３は前面蓋８０と蓋ケース６０とを引き離す方向に弾性付勢している。
すなわち、前面蓋８０は回転軸８２を中心として蓋ケース６０の縁部から離反する方向に付勢されており、吸込口体３０の前端部が室内縦壁面等に当たったときにも、少し縦壁面に接近して角部の塵を集塵する。
【００２９】
回転軸８２には一対の弦巻バネ８３が装着されており、この弦巻バネ８３により前面蓋８０は反時計回り（図１４において矢印ＣＣＷ）に付勢されており、常に図１４の二点鎖線に示す位置に位置するようになっている。すなわち、前面蓋８０が開成していているとき、被清掃面となる床面Ｙから前面蓋８０の下端部８０ａまでの高さをＨ１とし、下ケース５０の前端壁部５１Ｆの位置から前面蓋８０の下端部８０ａ位置までの隙間をＳとすると、高さＨ１及び隙間Ｓが最大なっており、吸込口本体３１の前面側が開成されている。このときには、前面蓋８０の裏面に回転清掃体４０の払拭部材４２は接触しないようになっている。
【００３０】
そして、吸込口体３０を縦壁面に押し当てると、前面蓋８０が弦巻バネ８３の付勢力に抗して後方へ押圧してゆき、前面蓋８０は回転軸８２を中心にして時計回り（図４において）に回動して閉成し、上記高さは小さくなってＨ２になるとともに上記隙間Ｓはなくなる。すなわち、吸込口本体３１の前面開口は前面蓋８０により閉成されることになる。また、前面蓋８０が閉成されると回転清掃体４０の払拭部材３５Ａのみが前面蓋８０の裏面に接触するようになっている（図１４の実線参照）。
［蓋ケースと吸込口本体及び下ケースの掛止機構］
蓋ケース６０の前端部両側には、下ケース５０の前端壁部５４Ｆに形成された凹部５５に掛止する掛止爪Ｆが形成されている。蓋ケース６０の両端部内側には、回転清掃体４０のベアリング４１を上方から下方に向かって押し当てるベアリング押圧突起６５（動力伝達系の遮断手段）が形成されている。このベアリング押圧突起６５は、蓋ケース６０を開けることによってベアリング４１を上方に取り外し可能とする溝状部分３２Ｂと共に動力伝達系の遮断手段を構成する。また、蓋ケース６０の後部の両側には後方へ延びたアーム部６６が形成され、このアーム部６６の先端部の内側には蓋ケース４１を本体ケース４０に装着するためのフック部６７が設けられている。
【００３１】
図９乃至図１３にアーム部６６及びフック部６７の形状及び組み付け状態を示す。アーム部６６は図１０に示すように蓋ケース６０の後部端部６６Ａに形成され、平面的には略矩形の形状を有する。アーム部６６の中央部には「凹」字形状の切り欠き部６８が形成され、また、アーム部５５の内側の縁部近傍には切り欠き部６８に平行に延びる長孔６９が形成されている。切り欠き部６８の中央部には舌片部６８Ａが蓋ケース６０の前方に向かって突設されており、舌片部６８Ａの先端部上面には蓋ケース６０の左右方向に延びる凸部６８Ｂが形成されている。凸部６８Ｂは第１突起部６１の裏面側の凹部６１Ａに挿入可能とされる。
【００３２】
アーム部６６の左右縁部６６Ｃ、６６Ｄは厚肉とされており、又、切り欠き部６８と長孔６９の間に舌片部６８Ａの長手方向に延びる凸状部６６Ｃ、６６Ｄが形成されている。凸状部６６Ｃ、６６Ｄの間は、長孔６９に通じるように切り欠かれている。更に、アーム部６６の裏面側は、図１０及び図１３に示すように、舌片部６８Ａに平行に延びるリブ６６Ｅが、一対突設されている。
【００３３】
フック部６７の裏面側には、切り欠き部６８及び吸込口本体３１の開口部４３に挿入するＬ型断面の第１突起部６１と、掛止穴５８に挿入するＬ型断面の第２突起部６２と、フック部６７のアーム部６６に対するスライド量を決めるガイド突起部６７Ａと、アーム部６６を下から支える薄板部６７Ｄとが形成されている。薄板部６７Ｄは、図１２に示すように、略楔型の断面形状を有している。フック部６７の表面側にはフック部６７をアーム部６６から引き離すときの指をかけるための凸部６７Ｅが一対形成されている。
【００３４】
フック部６７をアーム部６６に取り付ける場合には、第１突起部６１の水平部分を切り欠き６８の内部に挿入すると共に、ガイド突起部６７Ａを長孔６９内部に挿入する。ガイド突起部６７Ａは爪部６７Ｂを備えている。また、ガイド突起部６７Ａの基部６７Ｃは縁部６６Ａの上をスライドするように段差を有する。
【００３５】
ガイド突起部６７Ａを挿入する際には、爪部６７Ｂを凸状部６６Ｃ、６６Ｄ間の切り欠き部６９Ａ側に撓ませてから、長孔６９内に挿入すると共に、第１突起部６１を切り欠き部６８内に挿入する。第１突起部６１を切り欠き部６８に挿入するとき、第１突起部６１と薄板部６７Ｄとの間に、アーム部６６の縁部を挟み込む。このとき、フック部６７とアーム部６６とを互いに接近する方に互いに押圧すると、ガイド突起部６７Ａが長孔６９内に入り込む。
【００３６】
これによって、フック部６７がアーム部６６に取り付けられたこととなり、フック部６７は舌片部６８Ａの長手方向に沿ってスライド可能となる。このフック部６７のスライド量はガイド突起部６７Ａが長孔６９の前後方向にスライドできる量となる。ガイド突起部６７Ａの凸部６７Ｂがアーム部６６の下面をスライド可能に保持すると共に、アーム部６６が第１突起部６１と薄板部６７Ｄの間にスライド可能に保持され、フック部６７はアーム部６６から容易に離脱する恐れがない。第２突起部６２は蓋ケース６０が開いているときはフリーである。
【００３７】
蓋ケース６０を下ケース５０に取り付けるときには、下ケース５０に吸込口本体３１を収納して図４に示すように回転清掃体４０にベルト３８を掛ける。その状態で、蓋ケース６０の左右の掛止爪Ｆを、左右の凹部５５にそれぞれ掛止する。次に、蓋ケース６０と下ケース５０とを整合させて蓋ケース６０の後部を吸込口本体３１の後部に当接させ、フック部６７をアーム部６６の切り欠き６８の奥部にスライドさせる。切り欠き部６８の内側には開口部４３に整合した状態で設けられているので、第１突起部６１は開口部４３内部に挿入される。また、第２突起部６２の前方には掛止穴５８が位置しているので、フック部６７をアーム部６６の奥部にスライドさせるとき、第２突起部６２は掛止穴５８内部に挿入される。
【００３８】
これによって、蓋ケース６０と吸込口本体３１としたケース５０とが緊密に結合される。回転清掃体４０を取り外す場合には、凸部６７Ｅに指又は爪をかけてフック部６７をアーム部６６から引き離すように引くと、フック部６６が切り欠き部６８から離間して第１突起部６１が開口部４３から離脱し、第２突起部６２が掛止穴５８から離脱する。これによって、蓋ケース６０はその後部を持ち上げて開けることが出来る。蓋ケース６０を開けるとき掛止爪Ｆが凹部５５に掛止しているので、掛止部Ｆ近傍を中心として蓋ケース６０は後部側から開けることができる。このとき、前面蓋８０がやや吸込室７０側に僅かに湾曲しているので、前面蓋８０が回転清掃体４０を巻き込みながら、回転清掃体４０を持ち上げ、更に、ベアリング４１を押しているベアリング押圧突起６５がベアリング４１から離れるため、回転清掃体４０が容易に上昇し、ベルト３８がギア４１Ｂから離脱する。これによって、回転清掃体４０が吸込口本体３１から容易に離れることとなり、回転清掃体４０の払拭部材４２，４２Ｂを極力握ることなく、清掃を行うことができる。
【００３９】
しかも、清掃後には、回転清掃体４０のギア４１Ｂにベルト３８を噛み合わせ、吸込口本体３１を下ケース５０に挿入し、蓋ケース６０の掛止爪Ｆを凹部５５に掛止し、蓋ケース６０と吸込口本体３１との整合を調整した後、フック部６７の凸部６７Ｅに爪又は指をかけてフック部６７をアーム部６６側に押し付けると、第１突起部６１が開口部４３に挿入され、第２突起部６２が掛止穴５８に挿入され、簡単に吸込口体３０を元の形に組み付けることができる。
【００４０】
【発明の効果】
本発明にかかる電気掃除機の吸込口本体によれば、蓋ケースを開けると、吸込口本体を裏返すことなく、回転清掃体を取り外すことが出来るのみならず、回転清掃体の動力伝達系を遮断するので、万一掃除機本体が電源に接続されたままであっても、回転清掃体が不用意に回り始めることが防止される。
【図面の簡単な説明】
【図１】図１は尾は野路家にかかる電気掃除機の全体構成を示す図である。
【図２】図２は吸込口体の全体構成を示す図である。
【図３】図３は吸込口体の主要構成を示す分解斜視図である。
【図４】図４は図１の吸込口本体と回転清掃体とを示す図である。
【図５】図５（ａ）は吸込口本体の構成を示す図であり、（ｂ）は回転清掃体４０の構成を示す図である。
【図６】図６は下ケースの構成を示す図である。
【図７】図７は吸込口本体の蓋ケースの裏面図を示す図である。
【図８】図８は吸込口本体の断面図である。
【図９】図９は蓋ケースのフック部とアーム部の取付状態を拡大した断面図である。
【図１０】図１０は蓋ケースの取付部と掛止部の取付関係を示す斜視図である。
【図１１】図１１は蓋ケースのフック部の斜視図である。
【図１２】図１２はフック部の側面図である。
【図１３】図１３はフック部とアーム部の取付関係を蓋ケースの裏面側から見た示す図である。
【図１４】図１４は蓋ケースの先端部の前蓋部の断面図である。
【図１５】図１５は従来の吸込口体の断面図である。
【符号の説明】
３０  吸込口体
３１  吸込口本体
４０  回転清掃体
４３  開口部
５０  下ケース
５５  凹部
５８  掛止穴
６０  蓋ケース
６１  第１突起部
６２  第２突起部
Ｆ  掛止爪
７０  吸込室
８０  前面蓋
【図１】
2005046262.tif 000003
【図２】
2005046262.tif 000004
【図３】
2005046262.tif 000005
【図４】
2005046262.tif 000006
【図５】
2005046262.tif 000007
【図６】
2005046262.tif 000008
【図７】
2005046262.tif 000009
【図８】
2005046262.tif 000010
【図９】
2005046262.tif 000011
【図１０】
2005046262.tif 000012
【図１１】
2005046262.tif 000013
【図１２】
2005046262.tif 000014
【図１３】
2005046262.tif 000015
【図１４】
2005046262.tif 000016
【図１５】
2005046262.tif 000017